(57)【特許請求の範囲】
【請求項１】
インタフェイス素子をＯＮ動作させる払出信号を伝送する信号ラインと、払出モータを駆動する駆動電源を供給する給電ラインと、グランドラインとが、配線コネクタを経由して、上流側制御部に接続されている払出制御部を有し、
払出制御部は、Ｈレベルの払出信号を受けるとインタフェイス素子がＯＮ動作し、このＯＮ動作に対応して、払出モータが回転して有価物が払出されるよう構成され、
上流側制御部には、給電ライン又は信号ラインの電流の有無を監視する監視回路が設けられ、
有意レベルの払出信号を払出制御部に出力していないタイミングで、監視回路が電流を検出すると異常対応処理を開始するよう構成されていることを特徴とする遊技機。
【請求項２】
上流側制御部には、ＯＮ状態の制御信号を受けてＯＮ動作して有意レベルの払出信号を出力する出力スイッチ回路が設けられ、
出力スイッチ回路のＯＦＦ動作時は、有意レベルの払出信号を払出制御部に出力していない請求項１に記載の遊技機。
【請求項３】
ＯＮ動作状態のインタフェイス素子の電流が流れる検出抵抗が、払出制御部又は上流側制御部に配置されて監視回路が構成されている請求項１又は２に記載の遊技機。
【請求項４】
通電状態の給電ラインの電流が流れる監視抵抗が、上流側制御部に配置されて監視回路が構成されている請求項１〜３の何れかに記載の遊技機。
【請求項５】
払出信号が有意レベルであると、給電ラインに流れる駆動電流に基づいて払出モータが回転するよう構成されている請求項４に記載の遊技機、
【請求項６】
払出モータは、直流モータで構成されている請求項１又は２に記載の遊技機。
【請求項７】
インタフェイス素子は、フォトカプラで構成されている請求項１〜３の何れかに記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【先行技術文献】
【特許文献】
【０００５】
【特許文献１】特開２０１１−１４３０５８号公報
【特許文献２】特開２０１１−０９２７７４号公報
【特許文献３】特開２０１１−０３０６６２号公報
【特許文献４】特開２０１１−０３０６６１号公報
【発明の概要】
【発明が解決しようとする課題】
【０００６】
ところが、メダル払出信号ＰＡＹがＬレベルになると、払出モータが回転を始めるので、この関係を悪用する違法行為を排除する回路構成が望まれる。そこで本出願人も各種の対策を提案しているが（特許文献１〜４）、必ずしも万全ではない。
【０００７】
ここで、セキュリティレベルを上げるために回路構成が複雑化したのでは現実性に欠け、また、配線数が無闇に増加すると、追加された配線を悪用する違法も懸念されるところである。
【０００８】
本発明は、上記の問題点に鑑みてなされたものであって、回路構成を複雑化したり、配線数を無闇に増加することなく、メダル払出信号ＰＡＹを悪用する違法行為を確実に排除できる遊技機を提供することを目的とする。
【課題を解決するための手段】
【０００９】
上記の目的を達成するため、本発明は、インタフェイス素子をＯＮ動作させる払出信号を伝送する信号ラインと、払出モータを駆動する駆動電源を供給する給電ラインと、グランドラインとが、配線コネクタを経由して、上流側制御部に接続されている払出制御部を有し、払出制御部は、Ｈレベルの払出信号を受けるとインタフェイス素子がＯＮ動作し、このＯＮ動作に対応して、払出モータが回転して有価物が払出されるよう構成され、上流側制御部には、給電ライン又は信号ラインの電流の有無を監視する監視回路が設けられ、有意レベルの払出信号を払出制御部に出力していないタイミングで、監視回路が電流を検出すると異常対応処理を開始するよう構成されている。
【００１０】
本発明のインタフェイス素子は、Ｈレベルの払出信号を受けてＯＮ動作するので、メダル払出信号ＰＡＹをグランドレベルに降下させる違法行為が無意味となる。また、払出モータは、好ましくは、給電ラインと、グランドラインと、信号ラインの３本の配線で回転可能に構成されているので、配線数を極限的に抑制することができる。
【００１２】
また、ＯＮ動作状態のインタフェイス素子の電流が流れる検出抵抗が、払出制御部又は上流側制御部に配置されて監視回路が構成されているのが好適であり、通電状態の給電ラインの電流が流れる監視抵抗が、上流側制御部に配置されて監視回路が構成されているのも好適である。
【００１３】
この払出モータは、直流モータで構成されているのが典型的である。また、インタフェイス素子は、フォトカプラで構成されているのが好ましい。
【発明の効果】
【００１４】
上記した本発明によれば、回路構成を複雑化したり、配線数を無闇に増加することなく、メダル払出信号ＰＡＹを悪用する違法行為を確実に排除することができる。
【図面の簡単な説明】
【００１５】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板の要部と、主制御基板とメダル払出制御基板との接続関係を示すブロック図である。
【図７】メダル払出処理を説明するフローチャートである。
【図８】払出動作時におけるメダル払出制御基板の動作を説明する図面である。
【図９】払出禁止時におけるメダル払出制御基板の動作を説明する図面である。
【図１０】払出禁止時における違法行為を説明する図面である。
【図１１】別の実施例を説明する図面である。
【図１２】更に別の実施例を説明する図面である。
【発明を実施するための形態】
【００１６】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００１７】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００１８】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００１９】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２０】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２１】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２２】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２３】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２４】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２５】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２６】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３０、及び、各種ＬＥＤ素子９〜１１などに接続されている。
【００２７】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００２８】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００２９】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３０】
図６（ａ）は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ２４Ｖとを受ける一方、監視信号ＳＥＮを、主制御基板５０に出力している。なお、各回路基板５０，６３，５５は、配線コネクタＣＮ１〜ＣＮ４を経由して隣接する回路基板と接続されている。
【００３１】
図示の通り、主制御基板５０は、メダル払出信号ＰＡＹを出力する信号出力部７０を有して構成され、メダル払出制御基板５５は、監視信号ＳＥＮを生成するフォトカプラＰＣを有して構成されている（図６（ａ）及び図６（ｃ）参照）。なお、払出モータＭＯを回転させるには、フォトカプラＰＣをＯＮ動作させる必要があり、フォトカプラＰＣがＯＦＦ状態を維持する限り、払出モータＭＯが回転することはなく、メダルが払出されることがない。
【００３２】
主制御基板５０の信号出力部７０は、メダルの払出枚数に対応するパルス幅τを有する駆動パルスＳＧを受けてスイッチング動作をするバイポーラ型の出力トランジスタＱａと、駆動パルスＳＧを受けて論理反転動作をするＮＯＴゲートＧ１と、ＮＯＴゲートＧ１の出力、及び、エミッタ抵抗Ｒｅの両端電圧（監視信号ＳＥＮ）を受けるＮＡＮＤゲートＧ２とを有して構成されている。そして、ＮＡＮＤゲートＧ２の出力は、異常判別信号ＥＲとして、主制御部５０のワンチップマイコンに供給されている。
【００３３】
出力トランジスタＱａのベース端子は、ベース抵抗Ｒｂを通して駆動パルスＳＧを受けており、出力トランジスタＱａのコレクタ端子は、コレクタ抵抗Ｒｃを経由して直流電源Ｖｃｃ（＝５Ｖ）に接続されている。一方、出力トランジスタＱａのエミッタ端子は、メダル払出信号ＰＡＹの出力端子として、配線コネクタＣＮ１に接続されている。
【００３４】
このメダル払出信号ＰＡＹは、メダル払出制御基板５５のフォトカプラＰＣ（発光ダイオードＤ）の電流流入端子に供給され、フォトカプラＰＣの出力電流は、その電流流出端子及び配線コネクタＣＮ１を経由して、主制御部５０のエミッタ抵抗Ｒｅに流れ込むよう構成されている。この構成から確認される通り、監視信号ＳＥＮの電圧レベルは、フォトカプラＰＣの電流値Ｉｐとエミッタ抵抗Ｒｅとに対応して、ＳＥ＝Ｉｐ×Ｒｅとなり、フォトカプラＰＣがＯＮ動作しているか否かを示すものとなる。
【００３５】
図６（ｃ）に示す通り、監視信号ＳＥＮは、ＮＯＴゲートＧ１の出力と共に、ＮＡＮＤゲートＧ２に供給されている。ここで、駆動パルスＳＧは、定常的にはＬレベルであり、メダルの払出動作時に限りＨレベルとなる（図６（ｂ））。そのため、ＮＯＴゲートＧ１の出力は、定常的にはＨレベルであり、メダルの払出動作時に限りＬレベルとなる。
【００３６】
以上の通り、(1)メダル払出動作時には、ＮＯＴゲートＧ１の出力がＬレベルであることにより、また、(2)それ以外の定常時（払出禁止時）には、監視信号ＳＥＮがＬレベルであることにより、異常判別信号ＥＲは、正常状態では、常にＨレベルを維持することになる。なお、ＮＡＮＤゲートＧ１の出力は、プルアップ抵抗ＲｐによってＨレベルに安定化されており、主制御部５０のワンチップマイコンは、安定的にＨレベルである異常判別信号ＥＲに基づいて、異常なメダル払出動作が実行されていないことを確認している。
【００３７】
ところが、何らかの違法行為によって、メダル払出禁止時にフォトカプラＰＣがＯＮ動作すると、ＮＯＴゲートＧ１の出力がＨレベルである状態で、監視信号ＳＥＮがＨレベルとなる。すると、ＮＡＮＤゲートＧ２の出力（異常判別信号ＥＲ）が、異常事態の発生を示すＬレベルに遷移するので、このことを検知した主制御基板５０のワンチップマイコンによって適宜な警報動作が実行される。警報動作としては、大音量の警報音の出力や、派手なランプ点滅動作を例示することができ、係員の急行によって、違法行為の継続が阻止される。
【００３８】
ところで、各抵抗値Ｒｃ，Ｒｂ，Ｒｅは、上記した警報動作を実現するために適切に設定される必要があるので、この点に関する説明を追加する。メダル払出時は、駆動パルスＳＧがＨレベルであるので、出力トランジスタＱａがＯＮ状態となり、エミッタ抵抗Ｒｅには、トランジスタＱａのコレクタ電流Ｉｃとベース電流の総和値（エミッタ電流Ｉｅ）のほぼ全てが流れる。
【００３９】
ここで、簡易的にＩｅ＝Ｉｃと近似すると、フォトカプラＰＣのＯＮ動作時には、Ｉｃ＝（Ｖｃｃ−Ｒｃ×Ｉｃ−Ｖｃｅ−Ｖｆ）／Ｒｅの等式が成立する。ここで、Ｖｃｅは、ＯＮ動作時のトランジスタのコレクタエミッタ間の電圧降下、Ｖｆは、ＯＮ動作時のフォトダイオードＤの電圧降下であり、各素子のＯＮ特性に基づき、例えば、Ｖｃｅ≒０．２Ｖ、Ｖｆ≒１．２Ｖのように特定可能である。したがって、この場合には、ＯＮ動作時のコレクタ電流Ｉｃに関し、Ｉｃ≒（５−０．２−１．２）／（Ｒｃ＋Ｒｅ）・・・（式１）の関係式が成立する。
【００４０】
ここで、コレクタ電流Ｉｃは、フォトカプラＰＣを安定してＯＮ動作させることができる最低レベルの電流値であり、その値はほぼ一意的に特定できるので、この特定値に基づいて、ＲｃとＲｅの関係が規定されることになる。例えば、最低電流値をＩｃ＝１０ｍＡとすると、Ｒｃ＋Ｒｅ＝３６０Ωとなる。
【００４１】
一方、出力トランジスタＱａに関して、Ｒｂ×Ｉｂ＋Ｖｂｅ＝Ｒｃ×Ｉｃ＋Ｖｃｅの等式も成立する。ここで、電流増幅率をαとすると、Ｉｃ＝α×Ｉｂとなり、また、Ｖｂｅは、ＯＮ動作時のトランジスタのベースエミッタ間の電圧降下であるので、例えば、Ｖｂｅ≒０．６Ｖと特定可能である。そのため、Ｒｃ×Ｉｃ＝Ｒｂ×Ｉｃ／α＋０．４・・・（式２）の関係が成立することになり、電流増幅率αを仮定することで、Ｒｂの値を、Ｒｃの値に基づいて特定することができる。
【００４２】
以上の関係を踏まえ、本実施例では、式１と式２を満足する値として、例えば、Ｒｅ＝３１０Ω、Ｒｃ＝５０Ωと設計している。この設計値の場合には、フォトカプラＰＣに１０ｍＡ程度の電流が流れると、監視信号ＳＥＮの電圧は３．１Ｖ程度となって、確実にＨレベルの論理値となる。なお、後述する違法行為時（図１０参照）には、フォトカプラＰＣに、設計値を超える電流が流れると思われるので、違法時の監視信号ＳＥＮの電圧ＳＥは、十分にＨレベルを維持する。なお、フォトカプラＰＣの電流が低いと、監視信号ＳＥＮの電圧がＨレベルを維持できないが、設計値より低い電流値では、フォトカプラＰＣをＯＮ動作させることができないので問題がないと解される。
【００４３】
図７は、上記した駆動パルスＳＧの制御を含んだ主制御部５０によるメダル払出動作を説明するフローチャートである。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００４４】
図７は、上記した駆動パルスＳＧの制御を含んだ主制御部５０によるメダル払出動作を説明するフローチャートである。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００４５】
一方、このようにしてクレジット数が上限値に達するか、或いは、もともと上限値に達している場合には、メダル払出信号ＰＡＹをＯＮレベル（アクティブレベル）にする（ＳＴ１５）。具体的には、主制御部５０の出力トランジスタＱａをＯＮ動作させて、メダル払出制御基板５５のフォトカプラＰＣをＯＮ動作させる。この結果、払出モータＭＯが回転を開始してメダルの払出が開始される。
【００４６】
そこで、次に、払出センサＳＥ（図５）がメダル払出を検出したか否か判定され（ＳＴ１６）、所定の待機時間、メダルの払出が検出されるのを待つ（ＳＴ１８）。そして、メダルの払出が検出されれば、払出枚数を減算し（ＳＴ１７）、残余払出枚数が０になるまで同じ動作を繰返す。一方、所定の待機時間を超えても、払出センサＳＥがメダルの払出を検出しない場合は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００４７】
このような処理を繰返していると、やがて、残余払出枚数が０になるので（ＳＴ１３）、メダル払出信号ＰＡＹをＯＦＦ状態にして処理を終える（ＳＴ１４）。具体的には、主制御部５０の出力トランジスタＱａをＯＦＦ動作させ、メダル払出制御基板５５のフォトカプラＰＣをＯＦＦ動作させる。この結果、払出モータＭＯの回転が停止される。
【００４８】
図８〜図９は、メダル払出動作を説明するための図面である。先ず、主制御部５０の出力トランジスタＱａがＯＮ状態となった場合（ＳＴ１５）について、図８に基づいて説明する。この場合には、ＤＣ５Ｖ→抵抗Ｒｃ→トランジスタＱａ→フォトカプラの発光ダイオードＤ→エミッタ抵抗Ｒｅ→グランドラインの経路で、ＯＮ電流Ｉｏｎが流れる。そのため、フォトカプラのフォトトランジスタＴｒもＯＮ状態となり、トランジスタＴｒを通過する直流電流は、ダイオードＤ１→抵抗Ｒ６→Ｒ７の経路に流れる。
【００４９】
なお、エミッタ抵抗ＲｅにＯＮ電流Ｉｏｎが流れることによって、監視信号ＳＥＮはＨレベルとなるが、メダル払出動作時には、ＮＯＴゲートＧ１の出力がＬレベルであるので（図６（ｃ）参照）、異常判別信号ＥＲは、正常レベル（Ｈレベル）を維持する。
【００５０】
また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００５１】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００５２】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００５３】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００５４】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ７の経路で電流が流れると共に、ダイオードＤ１→抵抗Ｒ６→抵抗Ｒ７の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００５５】
次に、図９に基づいて、主制御部５０の出力トランジスタＱａがＯＦＦ状態となった場合（ＳＴ１３）の動作を説明する（払出停止状態）。
【００５６】
この場合には、出力トランジスタＱａがＯＦＦ状態であるのでフォトカプラＰＣに電流が流れず、トランジスタＱ３，Ｑ４，Ｑ５はＯＮ状態とならない。そのため、エミッタ抵抗Ｒｅの両端電圧である監視信号ＳＥＮはＬレベルであり、その時のＮＯＴゲートＧ１の出力がＨレベルであることに拘らず（図６（ｃ）参照）、異常判別信号ＥＲは、正常レベル（Ｈレベル）を維持する。
【００５７】
一方、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００５８】
このトランジスタＱ６のＯＮ動作は、フォトカプラＰＣのＯＮからＯＦＦへの遷移時に実行されるので、誘導性を有する払出モータＭＯの駆動電流は、瞬間的にトランジスタＱ６のコレクタ電流として吸収され、払出モータＭＯの回転にブレーキがかかる。そのため、本実施例の構成によれば、慣性力によってメダルが過払いされることがない。
【００５９】
以上の通り、本実施例によれば、メダル払出制御基板５５は、違法行為の可能性を低減している。すなわち、払出停止状態において、仮に、メダル払出ラインＰＡＹ（出力トランジスタＱａのエミッタ端子）をグランドに短絡させても、トランジスタＱａがＯＦＦ状態を維持しているので、払出モータＭＯを回転させることはできない。
【００６０】
もっとも、図１０に示すように、メダル払出制御基板５５に給電されるＤＣ２４Ｖを悪用して、フォトカプラＰＣをＯＮ動作させようとする違法行為も考えられなくはない。
【００６１】
但し、この場合には、図１０に示すように、ＤＣ２４Ｖ→フォトカプラの発光ダイオードＤ→エミッタ抵抗Ｒｅ→グランドラインの経路で、異常ＯＮ電流が流れるので、エミッタ抵抗Ｒｅの両端電圧である監視信号ＳＥＮがＨレベルとなる。この時、ＮＯＴゲートＧ１の出力は、Ｈレベルであるので、ＮＡＮＤゲートＧ２の出力（異常判別信号ＥＲ）が異常レベル（Ｌレベル）に遷移することになる。そのため、このことを検知した主制御基板５０のワンチップマイコンによって適宜な警報動作が実行されることは前記した通りである。
【００６２】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。また、監視信号ＳＥＮを生成するエミッタ抵抗Ｒｅは、必ずしも、主制御基板５０に配置する必要はなく、メダル払出制御基板５５など主制御基板以外に配置しても良い。
【００６３】
また、実施例の回路構成では、異常時にエミッタ抵抗Ｒｅの両端電圧ＳＥを確実にＨレベルにできない可能性が懸念される場合には、例えば、図１１に示すようにエミッタ抵抗Ｒｅの電流値に基づいてＯＮ動作する電流シャントモニタＡＰを追加すれば良い。
【００６４】
この回路構成では、エミッタ抵抗Ｒｅと、電流シャントモニタＡＰと、負荷抵抗ＲＬとで電流検出回路が実現されており、負荷抵抗ＲＬには、フォトカプラＰＣのＯＮ電流Ｉｐに比例して飽和レベルの検出電圧Ｅｏが得られるよう設定されている。なお、電流シャントモニタＡＰとして、例えばTexas Instrument社のＩＮＡ１３９（CURRENT SHUNT MONITOR）が使用される。
【００６５】
ところで、違法行為者が、ＤＣ２４Ｖラインとメダル払出信号ＰＡＹの信号ラインとを適宜な抵抗素子で接続することに加えて、監視信号ＳＥＮの信号ラインをグランドラインに接続することも考えられなくはない。そこで、このような事態まで想定される場合には、ＤＣ２４Ｖの給電ラインに、図１１と同様の電流検出回路を設け、メダル払出が禁止されている定常時に異常電流を検出した場合には、前記した警報動作を実行するよう構成すれば良い。
【００６６】
図１２は、この回路構成を例示したものであり、ＤＣ２４Ｖの給電ラインに、微小抵抗値のシャント抵抗Ｒｓと、上記した電流シャントモニタＡＰとを配置し、ＤＣ２４Ｖの給電ラインにモータ駆動電流が流れると、負荷抵抗ＲＬに飽和レベルの検出電圧Ｅｏが得られるよう構成されている。
【００６７】
また、この実施例では、検出電圧Ｅｏと監視信号ＳＥＮとを受けるＯＲゲートＧ３を設け、ＯＲゲートＧ３の出力を、ＮＯＴゲートの出力と共に、ＮＡＮＤゲートＧ２に供給している。そのため、監視信号ＳＥＮの信号ラインを、グランドラインに接続する違法行為があっても、ＤＣ２４Ｖの給電ラインにモータ駆動電流が流れると、ＯＲゲートＧ３の出力がＨレベルになり、異常判別信号ＥＲが異常レベル（Ｌレベル）に遷移する。したがって、このような違法時にも適宜な警報動作を起動することができる。
【００６８】
なお、ＤＣ２４Ｖの給電ラインの電流をチェックする回路構成を採る場合には、エミッタ抵抗Ｒｅは必須ではなく、これを省略できることは言うまでもない。エミッタ抵抗Ｒｅを省略する場合には、フォトカプラＰＣの電流出力端子をグランドラインＧＮＤに短絡させるので、主制御部５０と払出制御部５５とは、３本の信号線（ＤＣ２４Ｖ，ＰＡＹ，ＧＮＤ）で接続可能となる。
【００６９】
なお、エミッタ抵抗Ｒｅを省略する場合には、ＯＲゲートＧ３も不要であり、検出電圧（負荷抵抗ＲＬの両端電圧）Ｅｏは、そのままＮＡＮＤゲートＧ２に供給される。
【符号の説明】
【００７０】
ＭＯ        払出モータ
５５        払出制御部
ＰＣ        インタフェイス素子
ＰＡＹ      払出信号
ＣＮ４      配線コネクタ
ＳＬ        遊技機（スロットマシン）
Ｒｅ        監視回路
ＡＰ        監視回路
【図１】
0005576346.tif 000002
【図２】
0005576346.tif 000003
【図３】
0005576346.tif 000004
【図４】
0005576346.tif 000005
【図５】
0005576346.tif 000006
【図６】
0005576346.tif 000007
【図７】
0005576346.tif 000008
【図８】
0005576346.tif 000009
【図９】
0005576346.tif 000010
【図１０】
0005576346.tif 000011
【図１１】
0005576346.tif 000012
【図１２】
0005576346.tif 000013